(57)【要約】【課題】絶縁耐圧試験時のストレスによる電源ユニットの稼動後の不良をなくすことを目的とする。【解決手段】耐圧試験器のプローブに装着され、プローブに流れる電流変化を検出する検出部と、検出部の出力から所定の周波数範囲の信号を取り出すフィルタ部と、フィルタ出力と所定値との比較により異常値を検出し保持する比較部と、比較部の状態に従って表示を行う表示部とを有する断線検出器とにより構成する。【選択図】図４
2006226917.tif 000002
【特許請求の範囲】
【請求項１】
耐圧試験器のプローブに装着され、プローブに流れる電流変化を検出する検出部と、
検出部の出力から所定の周波数範囲の信号を取り出すフィルタ部と、
フィルタ出力と所定値との比較により異常値を検出し保持する比較部と、
比較部の状態に従って表示を行う表示部と
を有する断線検出器。
【請求項２】
請求項１に記載の断線検出器であって、
比較部が所定の値以上の電圧を検出したとき、検出結果を記録する記録部を有する
ことを特徴とする断線検出器。
【請求項３】
プローブに請求項１又は請求項２に記載の断線検出器を備えた耐圧試験器。
【発明の詳細な説明】
【技術分野】
【０００１】
本発明は電気機器の電源部の絶縁耐圧性を検査する装置に関する。
【背景技術】
【０００２】
製造した電気機器（特に電源部）は、耐圧性（絶縁性）を試験する必要がある。パソコン等の一般ユーザが使用する電子機器は、通常AC100Vの商用電源を用い（一次側）、電子回路等はDC5V等（二次側）の低い電圧を使用する。この一次側の高電圧に触ると感電の危険があるため、この電圧が二次側に漏れないことを確認する。すなわち、一次二次間に高電圧を印加し、絶縁が確保されていることを確認する必要がある。
【０００３】
通常の耐圧試験器は、電気機器の一次側および二次側の試験端子に接続可能にした、端部に接続具（コネクタ、クリップ等）をそれぞれ設けた一対のプローブ、両プローブの他端部に接続され高電圧を出力する高圧電源部、両試験端子間を流れる漏れ電流を検出する電流検出部、検出された電流値を表示するか又は異常検出を表示する表示部、および高圧電源部の出力電圧や表示部による電流値の表示を制御する制御部を備える。
【０００４】
耐圧試験器を用いて電気機器の耐圧試験を行う際の状態を図１に示す。まず、電気機器における一対の試験端子に両プローブをそれぞれ接続する。図において試験対象の電源ユニット１の一次側入力端子に耐圧試験器２のプローブ３ａを、二次側出力端子に他のプローブ３ｂを接続する。
【０００５】
次に、耐圧試験器の電源部から耐圧試験用高電圧を出力させる。耐圧試験用電圧が両プローブを介して両試験端子に印加されているときの両試験端子間を流れる電流を検出する。絶縁が悪い場合は漏洩電流が流れる。電流検出部によって検出した電流値は表示部に表示される。又は、漏洩電流が所定値以上であることを判定するとアラームとしてランプ表示等をおこなう。
【０００６】
試験担当者（あるいは自動判定装置）は、表示された電流値が所定のしきい値以下のとき、又はアラームが点かないときには試験対象の電気機器を合格品と判定し、電流値がしきい値を超えているときやアラームがあるときには不合格品と判定する。
【０００７】
しかし、プローブは、使用の際のケーブルの曲げストレスや経年変化による接点やケーブルの劣化により断線することがある。その場合には、電気機器の両試験端子に電圧が印加されないため電流が流れず、本来不合格になるものも合格と判定することになる。
【０００８】
この問題点を解決する技術として、プローブ（ライン）の断線チェック（断線検査）が可能な耐圧試験器の技術が開示されている。これにより完全な断線の場合は検出できる。
【特許文献１】特開平６−１３０１１８号公報  特開２００４−２２６１７９号公報  ところが検査時に問題がなく当初の動作にも問題がなかった電源ユニットが、使用条件（過剰負荷、温度異常等）に問題がないのに、稼動数ヶ月から１年後に不良になることがある。その原因を調査した結果、絶縁耐圧試験時に検査対象にストレスを加える要因があり、それがプローブの断線／接触不良によることが分かった。
【発明の開示】
【発明が解決しようとする課題】
【０００９】
以上のような耐圧試験によるストレス印可を検出し、電源ユニットのフィールド障害を予防することである。
【課題を解決するための手段】
【００１０】
通常、耐圧試験の印加電圧は1500V程度、周波数は商用電源と同じ50Hz〜60Hzである。      
【００１１】
図１に示すように、試験対象の一次側入力端子を短絡した状態でプローブの一端を接続し、試験対象の二次側出力の端子を短絡した状態でプローブの他端を接続する。従って、この間に高圧をかけても電源ユニットのトランスの一次・二次等の絶縁部にかかるだけでダイオード等の回路部品にかかることはない。
【００１２】
耐圧試験時の異常によるストレス印加メカニズムは以下のとおりである。
【００１３】
長期の使用や操作の誤りによりプローブの配線の断線しかかりやコネクタの接触不良が起こる。すると試験中に断線部や接触不良箇所で放電が起こり高周波（〜数kHz程度）の電圧変化が発生する。するとトランスや回路の結合容量や浮遊容量を介して瞬間的であるが部品に高電圧がかかる。図２(a)にこのようなときのプローブ間印可波形を示す。図２(b)は、二次側のダイオード４にかかる電圧波形の例である。このようにしてストレスが印加され、その場で破壊しなくても劣化を起こし、故障しやすくなる。
【００１４】
従来の耐圧試験器は、漏れ電流を監視して所定の値以上のとき異常と判定する。しかし、断線しかかりや接触不良のとき、瞬間漏れ電流は増加するが平均電流はそれほど変化しない。従って従来の耐圧試験器の検出機能は動作しない。
【００１５】
耐圧試験異常時の漏れ電流波形を図３に示す。これによると、異常時の漏れ電流波形のピーク電流の値はバラツキが大であるのに対し、高周波電流の発生はバラツキが小さい。すなわち高周波電流を電気回路で検出すれば異常検出が可能であることが分かった。
【００１６】
従って、耐圧試験器のプローブに装着され、プローブに流れる電流変化を検出する検出部と、検出部の出力から所定の周波数範囲の信号を取り出すフィルタ部と、フィルタ出力と所定値との比較により異常値を検出し保持する比較部と、比較部の状態に従って表示を行う表示部とを有する断線検出器として構成する。また、比較部が所定の値以上の電圧を検出したとき、検出結果を記録する記録部を有するように構成し、異常発生を確実に捉える。
【発明の効果】
【００１７】
耐圧試験時に、試験対象機器に対するストレス印可があったことを確実に検出することによって、稼働後の電源不良をなくすことができる。
【発明を実施するための最良の形態】
【００１８】
（実施例１）
図４に断線検出器を付加した耐圧試験装置の構成例を示す。本図では従来の耐圧試験器のプローブに断線検出器を付加する形の構成を示す。もちろん断線検出器を備えた耐圧試験装置として構成してもよい。
【００１９】
断線検出器は耐圧試験器のプローブ３ａに流れる電流の変化を捉える検出部１１、その出力から１kHz程度の信号を取り出すフィルタとレベルを調整する回路を備えたフィルタ部１２、その出力を所定のしきい値と比較して大であるとき保持する比較部１３、その結果を表示又は記録する表示部１４を備える。
【００２０】
図５に断線検出器の回路構成例を示す。
【００２１】
検出部１１は、プローブに流れる数kHz程度の電流変化を検出できるものであればよい。フィルタ部１２は商用周波数とノイズ成分とを除去し検出レベルの調整を行う回路である。比較部１３は信号を増幅し所定値との比較により異常値を検出すると保持する回路である。異常値が検出されると比較部の発光ダイオードにより表示する。なお、異常値が検出されると保持されるため、リセットスイッチでリセットしないかぎりは発光ダイオードによる表示は保持される。従って、操作の誤りや試験装置（プローブコネクタ）劣化等の一時的異常も見逃さず検出できる。
【００２２】
また、耐圧試験も含めた自動試験装置として試験結果を記録する装置の一部とし、断線状態の発生を記録するように構成することも容易である。
【図面の簡単な説明】
【００２３】
【図１】従来例を示す図である。
【図２】耐圧試験の印可波形と部品にかかる異常電圧波形である。
【図３】異常時の漏れ電流波形である。
【図４】断線検出器を付加した耐圧試験装置の構成図である。
【図５】断線検出器の回路例である。
【符号の説明】
【００２４】
１      試験対象機器（の電源回路）
２      耐圧試験器
３ａ    プローブ
３ｂ    プローブ
４      ダイオード
１０    断線検出器
１１    検出部
１２    フィルタ部
１３    比較部
１４    表示部
【図１】
2006226917.tif 000003
【図２】
2006226917.tif 000004
【図３】
2006226917.tif 000005
【図４】
2006226917.tif 000006
【図５】
2006226917.tif 000007